(57)【特許請求の範囲】
【請求項１】
ヘッド部及び把持部を有するとともに、前記ヘッド部にシャワー吐出部を設けたハウジングと、
そのハウジング内に組み込まれ、水または湯の流路を形成する流路部材とを備えたシャワーヘッドにおいて、
前記流路部材は、前記ハウジングとの面接触によって前記ハウジングに位置決め固定されており、
前記流路部材は、前記ヘッド部内に位置するヘッド側部材と、前記把持部内に位置する把持部側部材とを備え、前記把持部側部材に設けられたネジ溝が前記ヘッド側部材に設けられたネジ溝に螺合した状態で、前記把持部側部材は前記ヘッド側部材に組付けられており、
前記把持部及び前記把持部側部材は、互いに当接する回り止め部が形成されていることによって位置決めされているシャワーヘッド。
【請求項２】
前記回り止め部は、前記把持部及び把持部側部材の双方に形成した平面である請求項１に記載のシャワーヘッド。
【請求項３】
前記流路部材は、組み込み定位置から変位位置に移動可能であって、前記変位位置において前記把持部側部材の回り止め部が前記把持部の回り止め部から把持部の外側に離間される請求項１に記載のシャワーヘッド。
【請求項４】
前記流路部材が前記組み込み定位置に達したときに前記ハウジングと前記流路部材との位置関係を規制する規制部を前記ハウジング及び前記流路部材に設けた請求項２に記載のシャワーヘッド。
【請求項５】
前記ヘッド側部材と前記把持部側部材とが組み込み定位置に配置されたときに、前記把持部の前記回り止め部と、前記把持部側部材の前記回り止め部とが当接する請求項３に記載のシャワーヘッド。
【発明の詳細な説明】
【技術分野】
【０００１】
本発明は、主として、浴室で使用されるシャワーヘッドに関するものである。
【背景技術】
【０００２】
この種のシャワーヘッドは、製造容易性やシャワー使用時の扱いやすさを得るために、主たる構成部品が成形された合成樹脂によって形成されている。また、合成樹脂製の外観部品に金属メッキが施されたものがある。主たる構成部品が成形された合成樹脂によって形成されることにより、その構成部品を射出成形で容易に製造でき、シャワーヘッドが軽量になって、持ちやすく、かつ温水が冷めにくくなる。また、部品の外側に金属メッキが施されることにより、シャワーヘッドの外観性が向上される。
【０００３】
ところが、合成樹脂製の部品に対する金属メッキは、前記部品を金属メッキ液に浸漬することによって形成される。従って、部品の全周囲にメッキ層が形成される。このため、水または湯の流路を形成する筒状の部品の場合、その内側にもメッキ層が形成されることになり、この内側のメッキ層が剥がれると、シャワー吐出用の孔が剥離メッキによって塞がれるおそれがある。
【０００４】
特許文献１においては、外側の本体と、その本体の内部において流路を形成する内部流路部材とを備えたシャワーヘッドが開示されている。このようなシャワーヘッドにおいては、外側の本体にメッキを施すことによって外観性を確保できるとともに、内部流路部材としてメッキ層を有しないものを用いることにより、シャワー吐出用の孔が剥離メッキによって塞がれることを防止できる。
【先行技術文献】
【特許文献】
【０００５】
【特許文献１】特開２００１−１２８８７３号公報
【発明の概要】
【発明が解決しようとする課題】
【０００６】
ところが、特許文献１の構成においては、前記本体と内部流路形成部材とが本体の外側から止められるクリップによって固定されている。このようにクリップが設けられると、シャワーヘッドの部品点数が増えることにより、構成が複雑になるとともに、組付け作業に手間がかかる。また、クリップやクリップ用の孔が外部に露出されるため、外観性が低下する。このため、クリップの露出部分やクリップ用の孔を隠蔽するカバーを設けることも考えられるが、このようにすると、さらに部品点数が増えたり、組付け作業に手間がかかったりすることになる。また、クリップが装着される部分、例えば把持部は、そのクリップの装着スペースを確保するために、膨らんだり、太くなったりすることもあり、このような場合は、シャワーヘッドのデザイン性が低下する。
【０００７】
本発明は、このような従来の技術に存在する問題点に着目してなされたものである。その目的は、外観品質やデザイン性に優れ、部品点数を少なくできて、組付け作業が容易なシャワーヘッドを提供することにある。
【課題を解決するための手段】
【０００８】
上記の目的を達成するために、本発明においては、ヘッド部及び把持部を有するとともに、前記ヘッド部にシャワー吐出部を設けたハウジングと、そのハウジング内に組み込まれ、水または湯の流路を形成する流路部材とを備えたシャワーヘッドにおいて、前記流路部材は、前記ハウジングとの面接触によって前記ハウジングに位置決め固定されており、前記流路部材は、前記ヘッド部内に位置するヘッド側部材と、前記把持部内に位置する把持部側部材とを備え、前記把持部側部材に設けられたネジ溝が前記ヘッド側部材に設けられたネジ溝に螺合した状態で、前記把持部側部材は前記ヘッド側部材に組付けられており、前記把持部及び前記把持部側部材は、互いに当接する回り止め部が形成されていることによって位置決めされていることを特徴とする。
【０００９】
このように構成すれば、クリップ等の固定用の部品を用いることなく、ハウジングに対して流路部材が位置決め固定される。従って、部品点数が少なくなり、外観品質やデザイン性が損なわれることを防止できる。
【発明の効果】
【００１０】
本発明によれば、外観品質やデザイン性に優れ、部品点数を少なくできて、組付け作業が容易なシャワーヘッドを実現できる効果がある。
【図面の簡単な説明】
【００１１】
【図１】実施形態のシャワーヘッドの斜視図。
【図２】シャワーヘッドの分解斜視図。
【図３】シャワーヘッドの縦断面図。
【図４】ヘッド部を切断したシャワーヘッドの平面図。
【図５】ハウジングの上部を示す一部正面図。
【図６】区画部材の斜視図。
【図７】雌ネジ筒とストッパとの関係を示す区画部材の背面図。
【図８】フェイス部材と区画部材との組付け状態を示す平面図。
【図９】区画部材とインナパイプとの組付け状態を示す一部破断断面図。
【図１０】組付け途中を示すシャワーヘッドの断面図。
【発明を実施するための形態】
【００１２】
以下に、本発明を具体化したシャワーヘッドの実施形態を図面に従って説明する。
図１に示すように、本実施形態のシャワーヘッド１１は、給水ホース１２の先端のジョイント１３に連結される。
【００１３】
図１〜図３に示すように、シャワーヘッド１１は、その外側を形成するハウジング１４と、シャワー水を吐出するための大小の吐出孔１５，１６が中心側の位置及び外周側の位置に透設されたシャワー吐出部としてのフェイス部材１７と、そのフェイス部材１７の内側に取り付けられるヘッド側部材としての区画部材１８と、ハウジング１４の基端部側の把持部１９内に配置され、水または湯の流路を形成する把持部側部材としてのインナパイプ２１とを備えている。そして、給水ホース１２からの水または湯がインナパイプ２１内を通って、フェイス部材１７と区画部材１８との間に区画された放出室２０内に供給され、前記吐出孔１５，１６からシャワーとして吐出される。区画部材１８とインナパイプ２１とによって水または湯の流路部材が構成されている。
【００１４】
これらのハウジング１４，フェイス部材１７，区画部材１８及びインナパイプ２１は合成樹脂によって成形され、ハウジング１４の外表面全体にはクロームメッキ等の金属メッキが施されている。
【００１５】
図４及び図５に示すように、前記ハウジング１４の上端部にはヘッド部２２が形成され、その一側面にほぼ円形の開口２３が形成されるとともに、内側面にはリブ２４が形成されている。リブ２４には一対の雌ネジ筒２５が一体形成されている。開口２３の把持部１９側には拡径部２６が形成されている。
【００１６】
図２及び図４に示すように、前記フェイス部材１７は、プレート部３１と円筒部３２とにより一体形成され、プレート部３１の中心部に大きめの前記吐出孔１５が、その周囲に小さめの吐出孔１６がそれぞれ配置されている。円筒部３２の内周面には雌ネジ３３が形成されている。円筒部３２の外周には突起３４が形成されている。プレート部３１の外周には複数の凹部３５が形成され、この凹部３５に図示しない工具をあてがうことにより、その工具によってフェイス部材１７を簡単に回転させることができる。
【００１７】
図２，図６及び図７に示すように、前記区画部材１８には、前板部４１とその外周の円筒部４２とが一体形成され、円筒部４２の外周面に前記フェイス部材１７の雌ネジ３３を螺合する雄ネジ４３が形成されている。円筒部４２には突起４４が形成され、図８に示すように、この突起４４とフェイス部材１７の突起３４との当接により、フェイス部材１７が所定のネジ込み位置において区画部材１８に位置決めされる。前板部４１には一対のネジ挿通孔４５が形成されている。そして、図４に示すように、このネジ挿通孔４５を挿通するビス４６が前記ヘッド部２２の雌ネジ筒２５に螺入され、これによって区画部材１８がヘッド部２２に固定されている。
【００１８】
図１０に示すように、区画部材１８はその突起４４を含む外径ｒ１が、ヘッド部２２の開口２３の内径ｒ２より小さくなっていて、区画部材１８の外周とヘッド部の内周との間には区画部材１８の移動を許容する隙間が形成される。
【００１９】
図６及び図７に示すように、区画部材１８の背面側において、前記ネジ挿通孔４５の周囲には上部側が開放された半円壁状のストッパ５０が形成されている。このストッパ５０は、ネジ挿通孔４５と雌ネジ筒２５とが一致した状態において、雌ネジ筒２５の外周面の下部側と当接して、区画部材１８の上方移動を阻止するようになっている。ストッパ５０と雌ネジ筒２５とにより規制部が構成されている。区画部材１８の背面には補強リブ４８が形成されている。
【００２０】
図３及び図９に示すように、区画部材１８の前板部４１の前面には前記放出室２０を形成する凹部４７が形成されている。区画部材１８には連結管４９が下方に向かって一体形成され、その上端が放出室２０に向かって開口している。連結管４９の下端には前記インナパイプ２１の上端が接続されている。
【００２１】
図２及び図３に示すように、前記ハウジング１４の把持部１９は全体として筒状に形成され、その下端と前記ヘッド部２２の内側との間に貫通孔５１が形成され、この貫通孔５１内にインナパイプ２１が挿通されている。前記インナパイプ２１の上端には雄ネジ５４が形成され、その雄ネジ５４が前記連結管４９下端の雌ネジ５５に螺合され、これによってインナパイプ２１が区画部材１８に固定されている。
【００２２】
図９に示すように、連結管４９及びインナパイプ２１の連結部には、両者の連結状態における位置決めのための突起５６，５７が形成されている。
図３及び図９に示すように、把持部１９の下端において貫通孔５１の内側面には段差部５８が形成され、この段差部５８には一対の平面５９が１８０度隔てて形成されている。
【００２３】
図９及び図１０に示すように、インナパイプ２１の下端には前記ジョイント１３を接続するための雄ネジ６０が形成されている。その雄ネジ６０の直上においてインナパイプ２１には前記段差部５８内に嵌合されるフランジ６１が形成され、その外周２箇所には段差部５８の前記平面５９に当接する平面６２が形成されている。この両平面５９，６２の当接より、インナパイプ２１が回り止めされて、位置決めされている。また、前記区画部材１８がヘッド部２２に固定されるとともに、インナパイプ２１が区画部材に連結された状態において、連結管４９の前記突起５６とインナパイプ２１の前記突起５７との当接状態のときに、前記両平面５９，６２は対向される。インナパイプ２１の外周には、その長さ方向に延びる複数の補強リブ６３が一体形成されている。
【００２４】
なお、図３及び図４に示すように、区画部材１８とインナパイプ２１との境界、フェイス部材１７と区画部材１８との境界及び区画部材１８と前記ビス４６との境界には、シールリング６７，６６，６８がそれぞれ設けられている。
【００２５】
次に、以上のように構成されたシャワーヘッド１１の組付け方法について説明する。
図２及び図１０から明らかなように、シャワーヘッド１１の組付けに際しては、区画部材１８がヘッド部２２内にその開口２３から挿入されて、連結管４９が把持部１９内に挿入される。このとき、図１０に示すように、区画部材１８はヘッド部２２内において本来の組み込み定位置から下方に変位されて、開口２３の拡径部２６内に位置し、図７に示すように、ストッパ５０が２点鎖線で示す雌ネジ筒２５Ａの外周面から下方へ離隔している。また、図１０に示すように、この変位位置においてインナパイプ２１の平面６２が把持部１９の平面５９から把持部１９の外側である下方に離間される。
【００２６】
一方、インナパイプ２１が把持部１９の下端開口から挿入され、上端の雄ネジ５４が区画部材１８の連結管４９の雌ネジ５５に螺入される。このとき、区画部材１８が開口２３内において組み込み定位置から下方に変位しているため、インナパイプ２１のフランジ６１は把持部１９の下方の外部に露出している。従って、この状態で、インナパイプ２１の雄ネジ５４を連結管４９の雌ネジ５５に突起５６，５７が当接するまで螺入させて、インナパイプ２１を連結管４９に連結させることができる。このようにすれば、インナパイプ２１の下端の平面６２が把持部１９の下端の平面５９に対してその下方において上下に対向される。
【００２７】
次いで、インナパイプ２１が連結された区画部材１８を開口２３内において上方に移動させ、図７に示すように、ストッパ５０を実線で示す雌ネジ筒２５Ｂの外周面の下部に当接させれば、雌ネジ筒２５Ｂとネジ挿通孔４５とが一致した状態になる。この状態で、ネジ挿通孔４５から雌ネジ筒２５Ｂ内にビス４６を螺合すれば、区画部材１８がヘッド部２２に所定位置で固定される。
【００２８】
そして、区画部材１８の上方移動により、インナパイプ２１も一緒に上方移動されて、インナパイプ２１の下端のフランジ６１が把持部１９の段差部５８内に嵌まる。このため、フランジ６１の平面６２が段差部５８の平面５９に当接されてインナパイプ２１が位置決めされて回り止め状態となる。そして、ヘッド部２２に対する区画部材１８の固定により、インナパイプ２１が位置決め状態で固定される。
【００２９】
次いで、区画部材１８の雄ネジ４３にフェイス部材１７の雌ネジ３３を螺合させる。この場合、フェイス部材１７のプレート部３１の凹部３５に工具をかけて、その工具を回せば、フェイス部材１７を簡単に回すことができる。そして、図８に示すように、フェイス部材１７の突起３４が区画部材１８の突起４４と当接すれば、フェイス部材１７が所定の位置に固定配置される。
【００３０】
このようにして、ハウジング１４に対して、フェイス部材１７，区画部材１８及びインナパイプ２１が組付けられ、シャワーヘッド１１が構成される。以上のように、ハウジング１４とインナパイプ２１とをピンやクリップ等の別部品を使用することなく組付けることができる。
【００３１】
このように構成されたシャワーヘッド１１において、給水ホース１２からの水または湯は、インナパイプ２１を通って放出室２０に至り、吐出孔１５，１６からシャワーとして吐出される。従って、メッキが施されたハウジング１４内を水または湯が通ることはなく、メッキが剥離したとしても、その剥離メッキが吐出孔１５，１６内に詰まったりすることはない。
【００３２】
従って、本実施形態においては、以下の効果がある。
（１）流路部材を、区画部材１８とインナパイプ２１とに分割構成し、把持部１９及びインナパイプ２１には互いに当接する平面５９，６２よりなる回り止め部及び位置決め部を形成したことにより、把持部１９とインナパイプ２１とを位置決め状態で固定でき、それらの組付けにおいてピンやクリップ等の別部品を使用する必要がない。従って、部品点数を少なくすることができる。
【００３３】
（２）ピンやクリップ等を用いないため、それらを取り付けるための孔を把持部１９の外部に設ける必要がない。このため、シャワーヘッド１１の外観性が向上するとともに、ピンやクリップ等を隠蔽するための部材も不要である。
【００３４】
（３）ピンやクリップ等の装着スペースを確保することが不要であるため、シャワーヘッド１１にピンやクリップ等の装着のための膨らみ部等が形成されることはなく、シャワーヘッド１１のデザイン性が低下することを防止できる。
【００３５】
（４）インナパイプ２１の回り止め部は、前記インナパイプ２１及び把持部１９の双方に形成した平面５９，６２であるため、構成が簡単である。
（５）前記流路部材を構成する区画部材１８は、組み込み定位置から変位位置に移動可能であって、変位位置において区画部材１８に連結されたインナパイプ２１の平面６２が把持部１９の平面５９から離間される。従って、インナパイプ２１を回すことができて、インナパイプ２１を支障なく区画部材１８に連結することができる。
【００３６】
（６）インナパイプ２１の下端が把持部１９の下端から下方へ変位した状態において、区画部材１８に対してインナパイプ２１が所定の組付け位置に達したときに区画部材１８及びインナパイプ２１の突起５６，５７が当接して、区画部材１８とインナパイプ２１との位置関係が規定されて、インナパイプ２１の平面６２が把持部１９の平面５９と対応する位置に配置される。従って、この状態で、区画部材１８及びインナパイプ２１を変位位置から上方へ移動させれば、平面５９，６２が当接して、インナパイプ２１及び区画部材１８が組み込み定位置において位置決めされる。従って、区画部材１８及びインナパイプ２１を組み込み定位置において容易に位置決め固定できる。
【００３７】
（７）区画部材１８のネジ挿通孔４５の周囲に、ヘッド部２２の雌ネジ筒２５の外周に当接可能なストッパ５０が設けられ、区画部材１８が下方変位位置から上方の組み込み定位置に移動されたときに、ストッパ５０が雌ネジ筒２５によって位置規制される。従って、この位置において区画部材１８をビス４６によりヘッド部２２に対して容易に組付けることができる。
【００３８】
本発明は前記実施形態に限定されるものではなく、以下のような態様で具体化されてもよい。
・前記実施形態では、ハウジング１４に区画部材１８がビス４６によって固定されるとともに、その区画部材１８にインナパイプ２１がネジによって固定され、インナパイプ２１が平面５９，６２の当接を介して回り止めされている。これらの構成に代えて、ハウジング１４に区画部材１８が振動溶着されたり、区画部材１８にインナパイプ２１が振動溶着されたり、インナパイプ２１がハウジング１４に面接触状態で振動溶着されたりしてもよい。あるいは、振動溶着に代えて接着構造を用いてもよい。
【００３９】
・ハウジング１４及びインナパイプ２１の当接平面５９，６２をそれぞれ１面にしたり、３面以上にしたりしてもよい。
・フェイス部材１７と区画部材１８とを一体形成してもよい。
【００４０】
・インナパイプ２１の回り止めを平面接合に代えて、面接触部を有する凹凸接合にしてもよい。
【符号の説明】
【００４１】
１１…シャワーヘッド、１４…ハウジング、１７…流路部材を構成するフェイス部材、１８…流路部材を構成する区画部材、１９…把持部、２１…インナパイプ、２２…ヘッド部、４９…連結管、５１…貫通孔、５９…回り止め部としての平面、６２…回り止め部としての平面。
【図１】
0006470943.tif 000002
【図２】
0006470943.tif 000003
【図３】
0006470943.tif 000004
【図４】
0006470943.tif 000005
【図５】
0006470943.tif 000006
【図６】
0006470943.tif 000007
【図７】
0006470943.tif 000008
【図８】
0006470943.tif 000009
【図９】
0006470943.tif 000010
【図１０】
0006470943.tif 000011